(57)【特許請求の範囲】
【請求項１】
支持脚により支持されて、下地床面上に所定間隔をおいて配置された、配線・配管材の収容空間を有する床構造物の根太材であって、
隣合う根太材間に架設された床パネルの端部を前記支持脚の上方において支持する支持部と、
下方に開口して長手方向に並設され、それぞれに支持脚の頭部が係止可能かつ長手方向に沿って摺動可能に嵌入された摺動通路と
を備え、
前記床パネルは、端部に切欠溝が形成されており、
前記支持部は、水平板部の両縁部に前記床パネルの切欠溝に係止する立設板部が立設されたことを特徴とする配線・配管材の収容空間を有する床構造物の根太材。
【請求項２】
前記並設された摺動通路は、それら相互間において複数の支持脚の頭部を千鳥に配置する位置決め部が形成されたことを特徴とする請求項１に記載の配線・配管材の収容空間を有する床構造物の根太材。
【請求項３】
前記並設された摺動通路は、それら相互間において複数の支持脚の頭部を並置する位置決め部が形成されたことを特徴とする請求項１に記載の配線・配管材の収容空間を有する床構造物の根太材。
【発明の詳細な説明】
【０００１】
【発明の属する技術分野】
本発明は、通信ケーブル、電力ケーブル等の配線及び給排水湯管、ガス管等の配線・配管材の収容空間を有する床構造物の根太材に関するものである。
【０００２】
【従来の技術】
従来のこの種の配線・配管材の収容空間を有する床構造物の根太材として、特開平１−１２５４５９号公報に掲載の技術が開示されている。
図１０において、下地床面１上には所定位置に支持脚１１が立設されており、支持脚１１である六角ボルトの先端部は根太材２１の内部に脱落しない状態で収容されたナット１６に螺着されるとともに、床パネル３１が根太材２１のフランジ２１ａに載置されて、配線・配管材の収容空間を有する床構造物が形成されている。ここで、隣合う支持脚１１は下地床面１に取付けられた支持基台１８によって連結されている。
【０００３】
この床構造の施工は、図１１によって説明すると、まず、逆さの状態で、支持基台１８の各棚板１８ａに支持脚１１を挿通するとともに、各支持脚１１を根太材２１内のナット１６に螺着し、次に、根太材２１の両側を持って反転し、下地床面１に載置して、下地床面１に接面する支持基台１８の底部１８ｂを固定し、更に、床パネル３１を根太材２１のフランジ２１ａに載置する作業によって行なわれる。
なお、図示しないが、支持脚１１の安定化のために、必要に応じて、支持脚１１の下端に支持盤が取付けられる。
【０００４】
【発明が解決しようとする課題】
しかし、上記床構造物は、施工において、支持脚１１を一個ずつ直線性を確認しながら下地床面１上に据付ける必要はないものの、根太材２１を支持する支持脚１１が根太材２１に沿って一直線上に配置された構成となっているため、基本的に、支持脚１１は自立性が低く、左右の振動に対して弱く、地震等によって転倒し易い。このため、これを防止すべく、隣合う支持脚１１相互を連結する支持基台１８や支持脚１１の安定化のための支持盤等の部材が設けられており、したがって、これらの部材がないと、実際の使用に供せない。即ち、この従来の技術では支持基台１８等の部材が不可欠であり、コスト高ともなる。
【０００５】
また、施工現場において、逆さの状態で、支持基台１８の各棚板１８ａに支持脚１１を挿通するとともに、各支持脚１１を根太材２１内のナット１６に螺着した後、根太材２１の両側を持って反転し、下地床面１に載置して、下地床面１に接面する支持基台１８の底部１８ｂを固定するという面倒な組付及び反転作業が必要であり、多大な時間を要する。
【０００６】
そこで、本発明は、別部材を要することなく、現場での施工が簡単で、支持脚の自立性が高く、左右の振動に対しても安定性の高い、配線・配管材の収容空間を有する床構造物の根太材の提供を課題とするものである。
【０００７】
【課題を解決するための手段】
請求項１の発明にかかる配線・配管材の収容空間を有する床構造物の根太材は、支持脚により支持されて、下地床面上に所定間隔をおいて配置されものであって、隣合う根太材間に架設された床パネルを前記支持脚の上方において支持する支持部と、下方に開口して長手方向に並設され、それぞれに支持脚の頭部が係止可能かつ長手方向に沿って摺動可能に嵌入された摺動通路とを備え、前記床パネルは、端部に切欠溝が形成され、前記支持部は、水平板部の両縁部に前記床パネルの切欠溝に係止する立設板部が立設されてなるものである。
【０００８】
請求項２の発明にかかる配線・配管材の収容空間を有する床構造物の根太材は、請求項１に記載の並設された摺動通路の相互間において、複数の支持脚の頭部を千鳥に配置する位置決め部が形成されたものである。
【０００９】
請求項３の発明にかかる配線・配管材の収容空間を有する床構造物の根太材は、請求項１に記載の並設された摺動通路の相互間において、複数の支持脚の頭部を並置する位置決め部が形成されたものである。
【００１０】
【発明の実施の形態】
〈参考例〉
以下、本発明の参考例の配線・配管材の収容空間を有する床構造物の根太材を図１乃至図６に基づいて説明する。
図において、下地床面１には支持脚１１が載置されており、前記支持脚１１はその基部１３が前記下地床面１と接地して鉛直上向きに載置された六角ボルトからなるボルト１２と、前記ボルト１２のねじ部１４の端部に取付けられた本体１５とで形成されている。前記本体１５は内部にナット１６が収容されており、そのナット１６がボルト１２のねじ部１４の端部と螺合することによって高さ調整可能に取付けられており、また、側面には側方に弾性的に拡開し、係合爪１７ａを有する弾性突片１７が一体に設けられているとともに、上面には２個の折り取り可能な係合突起１５ａが一体に形成されている。
【００１１】
支持脚１１の上部には、断面形状一定の長尺状の根太材２１が載置されており、その根太材２１は水平板部２２の下側に、鉛直下方に３個の下垂板部２３が一定間隔で形成され、更に、その先端部に前記本体１５の係合爪１７ａと係合する係合凹部２３ａが全長に至って形成されている。即ち、水平板部２２の下側には、水平板部２２と３個の下垂板部２３とによって区画された摺動通路２４が長手方向に並設されており、前記摺動通路２４には支持脚１１の頭部である本体１５が長手方向に摺動可能に収容され、本体１５の係合爪１７ａと根太材２１の係合凹部２３ａとの弾性的な係合によって根太材２１が支持脚１１から上方に抜脱されないようになっている。
【００１２】
一方、水平板部２２の上側には、中央部に立設板部２５が鉛直に立設されており、この立設板部２５によって区画された左右両側には支持部２６が形成されている。
更に、水平板部２２には、適当な間隔で多数の長孔２２ａが穿設されており、図５に示すような千鳥の配列となる位置にはボルト１２のねじ部１４の先端部１４ａが挿通されて支持脚１１が配設されている。そして、本体１５の折り取り可能な係合突起１５ａが前記長孔２２ａの縁端部と当接することによって支持脚１１が一定位置に配設されるようになっている。ここで、本体１５の係合突起１５ａを折り取り可能としたのは、下地床面１の凹凸面を避けて不陸に対応するべく、支持脚１１を僅かに摺動して取付位置調整を可能ならしめるためである。この配設としたものは、請求項１及び請求項２に記載の態様に相当し、千鳥の配列位置における長孔２２ａは、請求項の位置決め部に相当する。ここで、支持脚１１の先端部１４ａは、図６に示すように、所定間隔で並置されたものとすることもできる。この場合は、請求項１及び請求項３に記載の態様に相当し、先端部１４ａを並置する長孔２２ａは、請求項の位置決め部に相当する。なお、図１では現場での施工に応じて、図５の千鳥の配置、図６の並置のいずれにも対応できるよう、多数の予備孔としての長孔２２ｂも形成しているが、支持脚１１の配設位置が確定していれば、前記長孔２２ｂは必ずしも設けなくてもよい。
【００１３】
３１は隣合う根太材２１の水平板部２２上の支持部２６に架設された矩形状の床パネルであり、図３に示すように、天板３２の裏面に根太材２１と直交する方向に多数のリブ３３を有し、根太材２１の長手方向に可撓性を備え、これと直交する方向には剛性を備えたものである。この床パネル３１は合成樹脂、アルミニウム等の金属などで形成されている。
【００１４】
これらの支持脚１１、根太材２１及び床パネル３１によって配線・配管材の収容空間を有する床構造物が構成されている。
【００１５】
次に、上記のように構成された本参考例の配線・配管材の収容空間を有する床構造物における根太材の作用を説明する。
根太材２１は、これを下方から支持する複数の支持脚１１を下地床面１上に千鳥に配置し、左右２列の摺動通路２４において、巾方向に一定距離離間した左右２点支持構造の配置とするべく形成されているので、支持脚１１が１直線上に配置された従来の床構造のように転倒することがなく、高い自立性を有する。したがって、左右方向の振動や搖れに対しても安定であり、安全である。また、根太材２１のみで支持脚１１を左右２列に配置しているから、施工が容易であり、従来例のように、別途に、支持基台或いは支持盤等の部材を用意する必要もない。
【００１６】
なお、ボルト１２のねじ部１４の先端部１４ａは長孔２２ａを挿通して上方に突出していても、図４に示すように、床パネル３１の隣合うリブ３３間の空間内に収容されるので、リブ３３と干渉することはない。
また、根太材２１に載置される床パネルとして、リブ３３を有する床パネル３１を使用しているので、下地床面１上に所定間隔に配置された根太材２１同士がその長手方向に異なった傾斜状態で配置されていても、根太材２１間に架け渡された床パネル３１はその可撓性によってたわんで変形するから、傾斜した下地床面１にも対応可能であるとともに、必要な剛性をもって床面が構成される。
【００１７】
但し、上記参考例の床パネル３１は裏面にリブ３３を有したものに限定されるものではなく、隣合う根太材２１の支持部２６間に架設され、床パネルとして機能するものであれば、いかなる形態のものであってもよい。
【００１８】
〈実施例〉
次に、本発明の実施例の配線・配管材の収容空間を有する床構造物の根太材を図７乃至図９に基づいて説明する。
図において、根太材２１は、水平板部２２の両縁部に全長に至って鉛直上向きに立設板部２５が立設されており、水平板部２２の上側には支持部２６が形成されている。また、水平板部２２には、第一実施例と同様に、長孔２２ａ及び予備孔としての長孔２２ｂが適当な間隔をおいて穿設されている。前記支持部２６には周壁を有する矩形状の床パネル３１が載置され、その床パネル３１は端部に根太材２１に沿って形成された切欠溝３４が根太材２１の立設板部２５に係止して水平方向にずれて外れるのが阻止されるようになっている。
なお、その他は参考例と同様であるから、その説明は省略する。
【００１９】
この実施例においても、根太材２１は、参考例と同様に、２つの摺動通路２４において支持脚１１を千鳥或いは並列に配設するべく形成されているので、各支持脚１１は巾方向に所定距離離間して左右２点で支持された構造となり、したがって、自立性が高く、安定した床構造物となる。
【００２０】
特に、実施例においては、図９に示すように、立設板部２５の上端部に丸みをつけ、立設板部２５及び水平板部２２と、床パネル３１の切欠溝３４及び床面との間に所定の隙間を設けることによって、床パネル３１が立設板部２５の上端部を軸として上下方向に傾動可能となるようにすることもできる。この場合は、隣合う根太材２１間で下地床面１が多少傾斜していても床パネル３１はそれに追随して傾斜するので、このような下地床面１への対応が容易となる。
【００２１】
なお、長孔２２ａは、支持脚１１の配設位置が確定していれば、参考例と同様に、特に、予備孔としての長孔２２ｂを設ける必要はない。また、床パネル３１は、参考例と同じく、裏面に根太材２１と直交する方向に多数のリブ３３を有し、根太材２１の長手方向に可撓性を備え、これと直交する方向には剛性を備えたものであってもよい。
【００２２】
ところで、上記実施例及び参考例の根太材２１において、水平板部２２の長孔２２ａには支持脚１１の先端部１４ａを千鳥或いは並列に配置しているが、例えば、先端部１４ａが挿通される長孔２２ａが長手方向に２個単位で千鳥に配設してもよく、或いは、２個並列１個片側の順で長手方向に交互に配設してもよい。要するに、根太材２１の左右両側の摺動通路２４の間で、巾方向に所定間隔をおいて支持脚１１を２点支持する構成であれば、いかなる配列としてもよい。
【００２３】
また、上記実施例及び参考例では、根太材２１の下垂板部２３、その係合凹部２３ａ及び立設板部２５は根太材２１の全長に至って形成しているが、所定間隔で部分的に形成してもよい。
【００２４】
更に、上記実施例及び参考例の支持脚１１のボルト１２は、基部１３を有する六角ボルトで形成しているが、基部１３を有しない、単にねじ部１４だけで形成し、直接ねじ部１４の下方先端面が下地床面１に載置されるものとしてもよく、或いは、下地床面１との接地面に平板状の台座を備えたものとしてもよい。
【００２５】
また、支持脚１１は、格別高さ調整を必要としないならば、ボルト１２に代えてねじが設けられていない単なる丸棒などの棒部材を使用したものとしてもよい。
【００２６】
そして、上記実施例及び参考例の根太材２１は、位置決め部として長孔２２ａを設けているが、これに限ることなく、他の手段によって位置決め部を形成してもよい。
【００２７】
【発明の効果】
以上のように、請求項１の発明の配線・配管材の収容空間を有する床構造物の根太材は、並設された摺動通路のそれぞれに複数の支持脚の頭部が係止し、摺動可能に嵌入されている。即ち、１個の根太材が巾方向の左右両側に配設された支持脚によって支持された構成となっているため、自立性が高く、左右の振動等に対しても安定であり、安全である。したがって、支持脚を保持する別部材を用意する必要がなく、施工も簡単に行なうことができる。
【００２８】
請求項２の発明の配線・配管材の収容空間を有する床構造物の根太材は、請求項１に記載の摺動通路の相互間において、複数の支持脚の頭部を千鳥に配置する位置決め部が形成されたものである。したがって、特に、少ない支持脚で安定した床構造を得ることができる。
請求項３の発明の配線・配管材の収容空間を有する床構造物の根太材は、請求項１に記載の摺動通路の相互間において、複数の支持脚の頭部を並置する位置決め部が形成されたものである。したがって、特に、支持脚を下地床面上にすっきりした配置状態で立設することができる。
【図面の簡単な説明】
【図１】  図１は本発明の参考例の配線・配管材の収容空間を有する床構造物の根太材を示す分解斜視図である。
【図２】  図２は本発明の参考例の配線・配管材の収容空間を有する床構造物の根太材を示す正面図である。
【図３】  図３は図１の床パネルを示す斜視図である。
【図４】  図４は本発明の参考例の配線・配管材の収容空間を有する床構造物の根太材を示す側面図である。
【図５】  図５は図１の根太材の長孔に挿通された支持脚の頭部の配列状態を示す平面図である。
【図６】  図６は図１の根太材の長孔に挿通された支持脚の頭部の別の配列状態を示す平面図である。
【図７】  図７は本発明の実施例の配線・配管材の収容空間を有する床構造物の根太材を示す分解斜視図である。
【図８】  図８は本発明の実施例の配線・配管材の収容空間を有する床構造物の根太材を示す正面図である。
【図９】  図９は図８の別の配線・配管材の収容空間を有する床構造物の根太材を示す正面図である。
【図１０】  図１０は従来の配線・配管材の収容空間を有する床構造物の根太材を示す斜視図である。
【図１１】  図１１は従来の配線・配管材の収容空間を有する床構造物における支持脚と根太材の組付状態を示す説明図である。
【符号の説明】
１      下地床面
１１    支持脚
１５    本体
１７ａ  係合爪
２１    根太材
２２ａ  長孔
２３ａ  係合凹部
２４    摺動通路
２６    支持部
３１    床パネル
【図１】
0003668953.tif 000002
【図２】
0003668953.tif 000003
【図３】
0003668953.tif 000004
【図４】
0003668953.tif 000005
【図５】
0003668953.tif 000006
【図６】
0003668953.tif 000007
【図７】
0003668953.tif 000008
【図８】
0003668953.tif 000009
【図９】
0003668953.tif 000010
【図１０】
0003668953.tif 000011
【図１１】
0003668953.tif 000012